(57)【特許請求の範囲】
【請求項１】
種球、苗等の被移植体を植付けるための植付溝を形成する作条部（２５）を備えた苗床成形装置において、前記作条部（２５）に、植付溝の底部より下方に暗渠を形成する潜り体（３１）と、植付溝と暗渠との間に薄肉土壌部を形成する削土体（３２）とを設けると共に、この削土体（３２）を前記潜り体（３１）に対して上下方向移動可能に前記作条部（２５）に設けていることを特徴とする苗床成形装置。
【発明の詳細な説明】
【０００１】
【発明の属する技術分野】
本発明は、種球・苗等の被移植体を植付けるための植付溝を形成する作条部を備えた苗床成形装置に関する。
【０００２】
【背景の技術】
本件出願人は、苗床成形装置により形成した植付溝に、移植機によって、種球・苗等の被移植体を自重落下させて移植することにより生じていた課題、即ち、植付溝の底部に被移植体が落下すると、発芽する部分または茎部がその落下点を中心として３６０度全方位の何れかの方向に倒れてしまい、この被移植体の姿勢が保持できないという課題を解決するために種々研究を重ね、植付溝を形成するだけでなく、該植付溝の下方に薄肉土壌部を介して暗渠を形成し、前記薄肉土壌部に被移植体を自重落下により突入させて前記暗渠に挿入させ、前記薄肉土壌部において、茎部等を仮保持させることにより被移植体の姿勢を保持することができることを見出し、このような苗床を成形するための装置、即ち、植付溝と薄肉土壌部と暗渠とを同時に成形することができる苗床成形装置を提案したのである（特願平７−１８５９０６号）。
【０００３】
この苗床成形装置は、Ｖ字の植付溝を形成するための作条部と、該植付溝より下方に前記暗渠を形成するための潜り体と、Ｖ字の前記植付溝の底部を削りとって植付溝と暗渠との間に薄肉土壌部を形成するための削土体とを備えており、この苗床成形装置により、図１０（ａ）に示すようにまず作条部でＶ字の前記植付溝Ｍを形成し、次に同図（ｂ）に示すように該植付溝Ｍより下方に前記潜り体で前記暗渠Ｇを形成し、そして、同図（ｃ）に示すようにＶ字の前記植付溝Ｍの底部ｍを前記削土体で平坦に削りとって水平状の底部ｍと成すことにより、植付溝Ｍと暗渠Ｇとの間に薄肉土壌部Ｕを形成し、これら植付溝Ｍ、暗渠Ｇ及び薄肉土壌部Ｕにより苗床を形成するのであって、この苗床における植付溝Ｍに被移植体Ｗを自重落下させ、前記薄肉土壌部Ｕを突き抜けて前記暗渠Ｇに被移植体Ｗを突入させることにより、同図（ｄ）に示すように被移植体Ｗを前記薄肉土壌部Ｕで保持し、該被移植体Ｗの植付け姿勢を良好に保持することができるようにしている。
【０００４】
なお、本件出願人は、この苗床成形装置を、移植機に設けることにより、苗床の成形と移植とを同時に行えるようにもしており、移植機は、トラクタの後部に着脱可能に装着するようにして、図９に示すように、前記トラクタのＰＴＯ軸に連動するロータリ２を前部に支持する機体１の後部に、箱形のフレーム３を、枢支横軸４を介して上下に揺動可能に支持し、このフレーム３の下部に、伝動機構を内装した揺動可能なギヤケース５を介して左右一対の接地駆動輪６，６を回転自在に支持して、これら接地駆動輪６，６を前記伝動機構を介してターンテーブル１１が接続される軸９に連結し、接地駆動輪６，６の回転動力でターンテーブル１１を回転させるようにしている。
【０００５】
このターンテーブル１１は、複数の投入孔を回転方向に形成しており、裏面に、これら投入孔に対向させて、種球，苗等の被移植体Ｗを受入れる複数のカップ１２を底部側が開閉可能となるように配設している。
【０００６】
さらに、ターンテーブル１１の前記カップ１２内の被移植体を植付溝に放出させるための３個の筒状放出案内体２０を、前記フレーム３内の上下方向中間部に設けた支持板１４に支持させて、ターンテーブル１１の回転に伴い、所定の前記カップ１２内の被移植体を所定の筒状放出案内体２０に放出させて、該筒状放出案内体２０から植付溝に被移植体を放出するにしている。
【０００７】
そして、Ｖ字の植付溝を形成するための作条部と、該植付溝より下方に前記暗渠を形成するための潜り体と、Ｖ字の前記植付溝の底部を削りとって植付溝と暗渠との間に薄肉土壌部を形成するための削土体とを備える苗床成形装置を移植機に配設するに当っては、まず、前記機体１の前記各接地駆動輪６とロータリ２との間で、かつ各放出案内体２０に対し植付け作業方向前方に、土壌中に突入して前記ロータリ２で耕耘された土壌に溝切りする縦断面Ｖ字形のチゼルから成る３つの作条部２５を設けると共に、前記作条部２５で形成された植付溝Ｍの底部ｍよりも深く潜って、該底部ｍの下方側に空洞状の暗渠Ｇを形成する円柱状の潜り体３１を前記作条部２５の下端縁よりも若干下方側に位置するように該作条部２５に一体に取付けている。
【０００８】
また、前記削土体３２は、前記各筒状放出案内体２０の下端部における前方側筒半分を下方側に延長することにより一体に形成しており、この削土体３２の下端縁を前記作条部２５の下端縁とほゞ同じ高さとなる位置に平坦に形成し、前記作条部２５で形成されたＶ字形植付溝Ｍの底部ｍを図１０（ｃ）のように水平状に削り取り、前記薄肉土壌部Ｕを形成するようにしている。
【０００９】
また、前記機体１における前記枢支横軸４よりも前方位置と前記フレーム３の上部との間にターンバックルから成る調節リンク１３を架設し、この調節リンク１３の長さを調節することにより前記フレーム３を、枢支横軸４を中心に上下に揺動させて、削土体３２の潜り体３１に対する上下位置を調整し、薄肉土壌部Ｕの厚さを調整するようにしている。
【００１０】
以上のように、移植機で被移植体を移植する場合、作条部と潜り体と削土体とを備える苗床成形装置を設けることにより、前記暗渠と薄肉土壌部とを有する苗床を形成しながら、各筒状放出案内体２０から各植付溝に被移植体を放出させることにより、各被移植体の植付の際、該被移植体の茎部等を前記薄肉土壌部で保持するようにしたのである。
【００１１】
【発明が解決しようとする課題】
ところが、以上の苗床成形装置は、Ｖ字の植付溝Ｍを形成するための作条部２５と、該植付溝Ｍより下方に前記暗渠Ｇを形成するための潜り体３１とは薄肉取付片等を介して一体に取付けるようにしているのであるが、Ｖ字の前記植付溝Ｍの底部ｍを削りとって植付溝Ｍと暗渠Ｇとの間に薄肉土壌部Ｕを形成するための削土体３２は、前記作条部２５及び潜り体３１とは別に、機体１側に設けていたため、前記潜り体３１と前記削土体３２とがそれぞれ別部材に取付けられることになり、前記薄肉土壌部Ｕの厚みとなる前記潜り体３１と前記削土体３２との間の隙間の寸法管理が確実に行えず、前記薄肉土壌部Ｕを成形する際、土壌の地質等にあった所定の厚みが確保できず、被移植体の植付姿勢が良好に保てない不具合があった。
【００１２】
特に、苗床成形装置を、図９に示すように、移植機に設ける場合には、該苗床成形装置の削土体３２を移植機における被移植体を放出するための筒状放出案内体２０の放出口を利用して形成しているため、植付作業中、該筒状放出案内体２０の先端の位置が前記潜り体３１に対して変動しやすく、前記薄肉土壌部Ｕを成形する際、厚みが変動し、該薄肉土壌部Ｕを所定の厚みに維持できず、さらに被移植体の植付姿勢が良好に保てなかったのである。
【００１３】
本発明は、上記課題を解決するために成したものであって、潜り体と削土体との間の隙間の寸法管理を確実に行え、薄肉土壌部の厚みの管理が容易に行える苗床成形装置を提供することを目的とする。
【００１４】
【課題を解決するための手段】
本発明は、以上の主目的を達成するため、請求項１記載の発明は、図１に示すように、種球、苗等の被移植体を植付けるための植付溝を形成する作条部２５を備えた苗床成形装置において、前記作条部２５に、植付溝の底部より下方に暗渠を形成する潜り体３１と、植付溝と暗渠との間に薄肉土壌部を形成する削土体３２とを設けると共に、この削土体３２を前記潜り体３１に対して上下方向移動可能に前記作条部２５に設けたのである。
【００１５】
【発明の作用効果】
請求項１記載の発明では、植付溝の底部より下方に暗渠を形成する潜り体３１と、植付溝と暗渠との間に薄肉土壌部を形成する削土体３２とを、作条部２５に設けているので、潜り体３１と削土体３２とを設ける部材を同一にでき、前記潜り体３１と削土体３２との間の隙間の寸法管理が確実に行えるので、薄肉土壌部の厚みが変動することなく常に一定に維持することができ、被移植体の植付姿勢を常に良好に保てるのである。
【００１６】
さらに、この削土体３２を前記潜り体３１に対して上下方向移動可能に前記作条部２５に設けたので、土壌の地質、水分量に合った、薄肉土壌部の厚みを容易に設定でき、所望の厚みを有する薄肉土壌部を容易に成形できるのである。
【００１７】
【発明の実施の形態】
本発明の苗床成形装置を移植機に設けた場合についての実施形態を図１〜図７に基づいて説明する。
【００１８】
移植機は６条植えの移植機で、図１〜図７に示すように、その機体１をトラクタの後部に着脱可能に装着するようにしており、該機体１の前部に、伝動機構を介して前記トラクタのＰＴＯ軸に連動するロータリ２を支持する一方、機体１の後部に、箱形のフレーム３を、枢支横軸４を介して上下方向に揺動可能に支持し、このフレーム３の下部に、伝動機構を内装した揺動可能なギヤケース５を介して左右一対の接地駆動輪６，６を回転自在に支持する。
【００１９】
そして、この接地駆動輪６，６に前記伝動機構を介して連動する左右方向に延びる横軸７と、該横軸７に２組の斜歯８を介して連動する２本の縦軸９とを支持し、更に、フレーム３の上方後部にトレイ１０を取付ける。
【００２０】
一方、前記各縦軸９，９の上端部に、回転方向に１２個の投入孔１１ａを等間隔に並設した円盤状のターンテーブル１１，１１をそれぞれ取付けて、左右に配設されたこれらターンテーブル１１，１１を前記接地駆動輪６の回転動力で回転させるようにし、このターンテーブル１１の裏面に、種球，苗等の被移植体Ｗの受入れ及び放出を可能とした１２個のカップ１２を、その受入口１２ａが前記投入孔１１ａに臨むように配設している。
【００２１】
また、前記機体１における前記枢支横軸４よりも前方位置と前記フレーム３の上部との間にリンク１３を架設し、このリンク１３により前記フレーム３を、枢支横軸４を支点として揺動することなく所定の位置に支持するようにしている。
【００２２】
さらに、前記フレーム３内の上下方向中間部に設けた支持板１４におけるそれぞれのターンテーブル１１，１１の下方位置には、該ターンテーブル１１の前記カップ１２内の被移植体を植付溝に放出させるための植付放出口２０ｂをもつ３個の長尺な筒状放出案内体２０Ａ，２０Ｂ，２０Ｃを支持しており、これら筒状放出案内体２０Ａ，２０Ｂ，２０Ｃは、ターンテーブル１１の所定回転角度領域において前記カップ１２の放出口１２ｂが筒状放出案内体２０Ａ，２０Ｂ，２０Ｃの受継口２０ａに臨むように、前記カップ１２間の間隔を２倍にした６０度の間隔を置いて配設させ、これら放出案内体２０Ａ，２０Ｂ，２０Ｃの上端部受継口２０ａを前記放出口１２ｂよりも大径となるように先広がり状に拡開させている。
【００２３】
また、図１及び図６に示すように、前記支持板１４におけるそれぞれのターンテーブル１１，１１の下方位置には、前記各放出案内体２０に沿って上方に延びる長さの異なる３本の固定杆２１（２１Ａ，２１Ｂ，２１Ｃ）を６０度の間隔を置いて設け、これら固定杆２１に、横向きに突出する当接片２２（２２Ａ，２２Ｂ，２２Ｃ）を設ける一方、前記カップ１２に、放出口１２ｂを開閉する蓋体１５を枢支軸１６により開閉可能に枢支させ、この枢支軸１６の一端に上下方向に延びる腕杆１７（１７Ａ，１７Ｂ，１７Ｃ）を延設し、さらに、これら腕杆１７の下部に水平方向に延びる係合片１８（１８Ａ，１８Ｂ，１８Ｃ）を設けると共に、前記各蓋体１５を付勢ばね等（図示せず）により前記放出口１２ｂを閉鎖する方向に常時付勢させている。
【００２４】
前記各カップ１２に設ける腕杆１７は、該腕杆１７の一端に設ける係合片１８が前記各固定杆２１の上部先端部に設ける当接片２２に当接するように、その長さを３種類に異ならしめており、回転方向に同じ順序で長さが変化するように配設して、所定の係合片１８が所定の当接片２２に当接したときに、前記蓋体１５が開くようにしており、所定の筒状放出案内体２０Ａ，２０Ｂ，２０Ｃに所定のカップ１２Ａ，１２Ｂ，１２Ｃ内の被移植体が案内されるようにしている。
【００２５】
また、前記フレーム３の下方側には、左右方向に延びる保持板２３を設けて、該保持板２３に、前記各放出案内体２０Ａ，２０Ｂ，２０Ｃの下端側を、Ｕ字形締付具２４を介して植付条の間隔を置いて横一列に保持し、これら放出案内体２０Ａ，２０Ｂ，２０Ｃの下端部植付放出口２０ｂの後側をカットして被移植体Ｗの逃がし口２０ｃを設けている。
【００２６】
また図１、図４〜図７に示したトレイ１０は、その前壁１０ａの下部を揺動可能に枢支して、該前壁１０ａを前方に倒すことにより、前記ターンテーブル１１における前記放出案内体２０Ａ，２０Ｂ，２０Ｃとの対向側上面部分を覆い、放出口１２ｂからの被移植体Ｗの放出が間近となっているカップ１２内に他の被移植体Ｗが誤って投入されるのを防止すると共に、トレイ１０内の被移植体Ｗを作業者が容易に取出し易いようにしている。
【００２７】
次にラッキョウのような被移植体Ｗを６条植えする場合について説明する。トレイ１０の前蓋１０ａを前方に倒してターンテーブル１１における放出案内体２０Ａ，２０Ｂ，２０Ｃとの対向側上面部分を覆った上で、分球してブロック状になっているトレイ１０内の被移植体Ｗの分球結合を外して一個ずつ各ターンテーブル１１，１１の各カップ１２に投入するのであり、また、トラクタの駆動走行による接地駆動輪６の駆動によりターンテーブル１１が図５の反時計方向に回転する。
【００２８】
このターンテーブル１１の回転に伴い、１番目にカップ１２Ｃの係合片１８Ｃが当接片２２Ｃに当接して、底蓋１５が開放され、カップ１２Ｃ内の被移植体Ｗが放出口１２ｂから受継口２０ａを経て放出案内体２０Ｃ内に放出され、放出案内体２０Ｃの植付放出口２０ｂから自重で被移植体Ｗが落下する。そして、次にカップ１２Ｂの係合片１８Ｂが当接片２２Ｂに当接して、底蓋１５が開放され、カップ１２Ｂ内の被移植体Ｗが放出案内体２０Ｂ内に放出され、さらに、その次に、カップ１２Ａの係合片１８Ａが当接片２２Ａに当接して、底蓋１５が開放され、カップ１２Ａ内の被移植体Ｗが放出案内体２０Ａ内に放出されるのであって、このようにカップ１２Ａ，１２Ｂ，１２Ｃの開放時期を違えることにより、図８に示すように千鳥植えができるのであり、また、ターンテーブル１１の回転に対し一つずつ蓋体１５を開放させていくので、前記係合片１８と当接片２２との当接による前記接地駆動輪６の負荷を軽減でき、カップ放出口１２ｂの開放時に接地駆動輪６が滑り回転するようなことを確実に防止できる。
【００２９】
そして、以上の移植機に、種球、苗等の被移植体を植付けるための植付溝を形成する作条部２５に、植付溝の底部より下方に暗渠を形成する潜り体３１と、植付溝と暗渠との間に薄肉土壌部を形成する削土体３２とを設けると共に、この削土体３２を前記潜り体３１に対して上下方向移動可能に前記作条部２５に設けた苗床成形装置を設けたのである。
【００３０】
該苗床成形装置について詳記すると、前記機体１の前記各接地駆動輪６とロータリ２との間で、かつ各放出案内体２０Ａ，２０Ｂ，２０Ｃに対し植付け作業方向前方に、土壌中に突入して前記ロータリ２で耕耘された土壌に溝切りする縦断面Ｖ字形のチゼルから成る作条部２５を、前記各筒状放出案内体２０に対向させて、各取付ねじ２６により前記機体１に着脱可能に設けるのであって、該作条部２５は、図３に示すように左右一対に傾斜板２５ａ，２５ａと、これら傾斜板２５ａの上端部を連結する連結板２５ｂとから成り、この連結板２５ｂを、前記複数本の取付ねじ２６により前記機体１の下部に着脱可能に取付けている。また、この作条部２５の内側には板体から成り、後方に延びる取付部を有するブラケット２８を、前記取付ねじ２６を利用して作条部２５に着脱可能に取付けている。
【００３１】
そして、前記作条部２５に、該作条部２５で形成された植付溝Ｍの底部ｍよりも深く潜り、底部ｍよりも下方に空洞状の暗渠Ｇを形成する潜り体３１と、前記底部ｍと暗渠Ｇとの間に薄肉土壌部Ｕを形成する削土体３２とを取付けるのである。
【００３２】
前記潜り体３１は、機体１の前後方向に延びる円柱状を呈し、その前端部に円錐状に傾斜するガイド部３１ａを設けて、土壌中に潜って移動しながら図１０（ｂ）のような暗渠Ｇを形成するときの抵抗が小さくなるようにしている。そして、前記ガイド部３１ａの上面部分から上方に向かって延びる薄肉連結片３３を突設し、この連結片３３の上部に取付片３４を一体に形成して、この取付片３４を前記作条部２５の後部から後方に向かって突出するブラケット２８に、複数本の取付ねじ２９により位置調整可能に取付け、図２に示すように、前記潜り体３１が前記作条部２５の下端縁よりも若干下方に位置するように配設している。
【００３３】
尚、取付片３４には、複数個の挿通孔３４ａを上下に所定間隔を置いて穿設し、これら挿通孔３４ａの複数組に取付ねじ２９を挿通してナットの締め込みにより上下位置を調整できるようにしている。
【００３４】
また、削土体３２は、図２及び図３に示すように、前記筒状放出案内体２０の筒外径より大きい幅を有する長方形状の板状削り部３２ａと、該削り部３２ａの前方側中心部に突設される前記ブラケット２８への取付部３２ｂとからなり、該取付部３２ｂには、長手方向が上下方向に向く複数の長穴３２ｃを上下に所定間隔を置いて穿設し、これら長穴３２ｃに前記ブラケット２８に取付けたボルト３５を挿通して、該長穴３２ｃの所定の位置でナットの締め込みにより固定することにより、前記削土体３２の前記潜り体３１に対する上下位置を調整できるようにしている。図２及び図３においては、前記削り部３２ａの水平底部が前記作条部２５のＶ字先端部とほぼ同じ位置となるように固定しており、前記作条部２５で形成されたＶ字形植付溝Ｍの底部ｍを図１０（ｃ）のように水平状に削り取り、前記薄肉土壌部Ｕを形成するようにしている。
【００３５】
この薄肉土壌部Ｕは、圃場における土壌の地質とか湿度に応じて厚さを調整するのである。この厚さ調整は、前記したように、削土体３２の取付部３２ｂに形成する長穴３２ｃのボルト３５との締め込み位置を変更することにより行えるし、また、前記潜り体３１の取付片３４の複数の挿通孔３４ａの前記作条部２５のブラケット２８に形成する挿通孔への対向位置を変更させることにより、自然に崩れなくて、しかも、植付放出口２０ｂから自重落下する被移植体Ｗが突き破って暗渠Ｇに入り易い最適な厚さにするのである。
【００３６】
以上の構成により、トラクタの駆動走行に伴い、ロータリ２で耕耘された土壌に、図１０（ａ）の如く各作条部２５によりＶ字形植付溝Ｍが切られ、更に、これら植付溝Ｍの底部に、図１０（ｂ）の如く潜り体３１により暗渠Ｇが形成されると共に、図１０（ｃ）の如く各植付溝Ｍにおける底部ｍが削土体３２により水平状に削り取られて、底部ｍと暗渠Ｇとの間に薄肉土壌部Ｕが形成される。
【００３７】
そして、放出案内体２０の植付放出口２０ｂから自重で落下する被移植体Ｗが、図１０（ｄ）の如く前記薄肉土壌部Ｕを突き破って暗渠Ｇに侵入し、薄肉土壌部Ｕで被移植体Ｗの線形葉部を保持することができ、被移植体Ｗの植付け姿勢を良好に保持できるのである。
【００３８】
また、前記保持板２３には、前記各放出案内体２０Ａ，２０Ｂ，２０Ｃの下端部に対向する部分を欠除したホーク状の３つの覆土板２７を設けており、被移植体Ｗの線形葉部が放出案内体２０Ｃの逃がし口２０ｃから出た後で覆土板２７により前記植付溝Ｍの底側部分が埋められ、被移植体Ｗの周りを覆土することができる。
【００３９】
以上の実施形態によれば、前記作条部２５に、植付溝の底部より下方に暗渠を形成する潜り体３１だけでなく、植付溝と暗渠との間に薄肉土壌部を形成する削土体３２も取付けるようにしているので、潜り体３１と削土体３２を同一部材に取付けることにより、潜り体３１と削土体３２との間の隙間の寸法管理を確実に行えるのであって、特に、苗床成形装置を移植機に設ける場合、移植作業中であっても、潜り体３１と削土体３２との間の隙間を一定に維持できるので、薄肉土壌部の厚みを常に一定に形成できることから、前記薄肉土壌部により被移植体を確実に保持でき、該被移植体の植付姿勢を良好に保つことができるのである。
【００４０】
さらに、この削土体３２を前記潜り体３１に対して上下方向移動可能に前記作条部２５に設けたので、土壌の地質、水分量に合った、薄肉土壌部の厚みを容易に設定でき、所望の厚みを有する薄肉土壌部を容易に成形できるのである。
【００４１】
尚、以上の実施形態では、トラクタに装着する走行タイプの移植機に苗床成形装置を設けたものについて説明したが、その他歩行タイプの移植機に苗床成形装置を設けてもよいし、また、移植機とは別に苗床成形装置のみにより苗床を成形するものであってもよい。
【００４２】
また、被移植体Ｗとしては、ラッキョウ等の種球である他、ポット苗であってもよい。
【図面の簡単な説明】
【図１】本発明の苗床成形装置を備える移植機の一部を省略した部分切欠き側面図。
【図２】同移植機における苗床成形装置を拡大した部分切欠き側面図。
【図３】図２のＸーＸ線側面図。
【図４】同移植機の側面図。
【図５】同移植機におけるターンテーブル部分の平面図。
【図６】同移植機の一部を省略した部分切欠き背面図。
【図７】同移植機の平面図。
【図８】植え付け形態を示す説明図。
【図９】従来の苗床成形装置を備える移植機の側面図。
【図１０】土壌に植付溝を形成して植え付けるまでの過程を示す説明図。
【符号の説明】
２５………作条部
３１………潜り体
３２………削土体
【図１】
0003683028.tif 000002
【図２】
0003683028.tif 000003
【図３】
0003683028.tif 000004
【図４】
0003683028.tif 000005
【図５】
0003683028.tif 000006
【図６】
0003683028.tif 000007
【図７】
0003683028.tif 000008
【図８】
0003683028.tif 000009
【図９】
0003683028.tif 000010
【図１０】
0003683028.tif 000011